(57)【特許請求の範囲】
【請求項１】
天井板に設けられた取付穴を介して上記天井板の裏面側に挿入されることにより、スピーカーユニットの放音面が該天井板の表面側に露出するように該天井板の裏面側に設置される天井スピーカーにおいて、
上記スピーカーユニットを含む複数の部品要素を収容する筐体を備え、
上記筐体は、上記部品要素が搭載されるベースであって上記天井板の裏面側において上記取付穴をまたぐ形で載置されるベースと、当該ベース上に搭載された上記部品要素を覆うカバーとを含み、
上記スピーカーユニットの上記放音面の中心軸に直交する第１方向における上記筐体の寸法が該放音面の中心軸および該第１方向のそれぞれに直交する第２方向における該筐体の寸法よりも大きく、
上記複数の部品要素は、上記スピーカーユニットと、共に上記スピーカーユニットに比して上記第２方向における寸法及び上記放音面の中心軸に沿う方向における寸法が小さい第１電気部品と第２電気部品とを、含み、
上記スピーカーユニットが上記ベース上において上記第１方向および上記第２方向のそれぞれにおける略中央に配置され、
上記ベースにおける上記第１方向の一方端と上記スピーカーユニットとの間で定義される第１仮想平面に上記第１電気部品が配置されるとともに、上記ベースにおける上記第１方向の他方端と上記スピーカーユニットとの間で定義される第２仮想平面に上記第２電気部品が配置されることにより、上記カバーを概略錐台状に形成可能にした
天井スピーカー。
【請求項２】
上記第１の電気部品はマッチングトランスであり、上記第２の電気部品はアッテネーター用トランスである
請求項１に記載の天井スピーカー。
【請求項３】
上記カバーは、上記スピーカーユニットを覆う部分を上底とし、上記ベースを下底とする概略四角錐台に形成されている
請求項１に記載の天井スピーカー。
【請求項４】
上記上底と上記下底とをつなぐ傾斜面において、上記第１電気部品と上記第２電気部品を覆う部分については、上記第１電気部品と上記第２電気部品それぞれの形状に合うように、上記カバーが概略直方体状に形成されている
請求項３に記載の天井スピーカー。
【請求項５】
上記天井板の表面側において上記取付穴ごと上記スピーカーユニットの上記放音面を覆うように取り付けられるパネルを上記筐体に引き寄せるための概略線状の伸縮弾性体が挿通される一対の貫通孔が該筐体に設けられており、
上記一対の貫通孔の一方は、上記第１仮想平面と上記スピーカーユニットとの間の位置であって上記第２方向における上記筐体の一方端側に設けられ、
上記一対の貫通孔の他方は、上記第２仮想平面と上記スピーカーユニットとの間の位置であって上記第２方向における上記筐体の他方端側に設けられている、
請求項１に記載の天井スピーカー。
【請求項６】
上記放音面を上記筐体の外部に露出させるために該筐体に形成された開口穴の周縁の一部または全部に沿うように設けられ該放音面の中心軸に沿う方向に沿って該筐体の外部に向かって突出した突出壁をさらに備える、
請求項１に記載の天井スピーカー。
【請求項７】
上記筐体における上記天井板の裏面と対峙する部分において上記放音面の中心軸の径方向における該放音面の周縁よりも外方の位置に設けられ該放音面の中心軸に沿う方向に沿って該筐体の外部に向かって突出した突出部をさらに備える、
請求項１に記載の天井スピーカー。
【請求項８】
上記筐体における上記天井板の裏面と対峙する部分のうち上記第１方向における途中が上記第２方向における該筐体の内側に狭められた、
請求項１に記載の天井スピーカー。
【請求項９】
第１端子台と第２端子台とをさらに備え、
上記第１端子台は、複数の第１通常端子を含む第１通常端子群と、複数の第１緊急端子を含む第１緊急端子群と、複数の共通端子を含む共通端子群と、を有し、
上記第２端子台は、上記第１通常端子群と相互に接続されている少なくとも１つの第２通常端子と、上記第１緊急端子群と相互に接続されている少なくとも１つの第２緊急端子と、複数のスピーカー入力端子を含むスピーカー入力端子群と、を有し、
上記第１通常端子群と上記スピーカー入力端子群とを互いに接続する状態と非接続とする状態とを選択的に切り換える切換手段をさらに備え、
上記スピーカーユニットの一対の入力端子の一方が上記スピーカー入力端子群に接続されており、
上記スピーカーユニットの一対の入力端子の他方が上記共通端子群に接続されている、
請求項１に記載の天井スピーカー。
【発明の詳細な説明】
【技術分野】
【０００１】
本発明は、天井スピーカーに関し、特に、天井板に設けられた取付穴を介してスピーカーユニットの放音面が当該天井板の表面側に露出するように当該天井板の裏面側に設置されると共に、当該天井板の表面側において取付穴ごとスピーカーユニットの放音面を覆うようにパネルが取り付けられる、いわゆるセパレート型の天井スピーカーに関する。
【背景技術】
【０００２】
この種の天井スピーカーとして、従来、例えば非特許文献１に開示されたものがある。図２３および図２４を参照して、この従来の天井スピーカー１は、ダイナミック型のスピーカーユニット２を備えている。このスピーカーユニット２は、図示しないマッチングトランス等の他の部品と共に、筐体としての硬質樹脂製のケース３内に収容されている。ケース３は、スピーカーユニット２を含む各部品が搭載される概略矩形平板状のベース３ａと、このベース３ａに搭載された各部品を覆うカバー３ｂと、から成る。ベース３ａには、スピーカーユニット２の放音面（振動板）２ａを当該ベース３ａ（ケース３）の外部に露出させるための円形の開口穴３ｃが設けられている。この開口穴３ｃは、その中心がベース３ａの短手方向における中央に位置し、かつ、当該中心がベース３ａの長手方向における中央よりも少し一方端縁寄りに位置するように、設けられている。さらに、この開口穴３ｃには、スピーカーユニット２の放音面２ａを保護するための概略蜘蛛の巣状の保護条体３ｄが設けられている。また、この保護条体３ｄのうち、開口穴３ｃの中心を通り、かつ、ベース３ａの長手方向に沿って延伸する部分３ｅは、ベース３ａの厚さ方向に適当な寸法を有しており、当該ベース３ａの機械的強度を向上させるためのリブとしても機能する。
【０００３】
一方、カバー３ｂは、スピーカーユニット２を覆うために概略ドーム状に形成された部分３ｆを有している。そして、このドーム状部分３ｆの外側面には、後述するパネル４の取付に用いられる伸縮弾性体としてのスプリングコイル５を拘束するための概略凹状の細長い拘束溝３ｇが、当該ドーム状部分３ｆの頂点を通り、かつ、ケース３（ベース３ａ）の長手方向に沿うように、設けられている。併せて、カバー３における当該拘束溝３ｇの両端に当たる部分の近傍に、スプリングコイル５の両端が個別に挿通される一対の貫通孔３ｈおよび３ｉが設けられている。また、ベース３ａの当該貫通孔３ｈおよび３ｉに対応する部分にも、同様の一対の貫通孔３ｊおよび３ｋが設けられている。さらに、カバー３ｂのうちケース３の長手方向におけるドーム状部分３ｆが設けられている側とは反対側の部分３ｎは、概略直方体状に形成されている。この直方体状部分３ｎは、とりわけ上述のマッチングトランスを覆うために、当該概略直方体状に形成されている。なお、マッチングトランスの他に、アッテネーター（音量調節器）用のオートトランスが設けられる場合があり、この場合の当該オートトランスも、直方体状部分３ｎ内に収められる。加えて、直方体状部分３ｎには、適宜の配線（ケーブル）が接続される２つの端子台６および７が外部に露出した状態で設けられている。
【０００４】
このように構成された天井スピーカー１は、次の要領で設置される。まず、２つの端子台６および７に適宜の配線が接続される。その上で、図２５（ａ）に矢印３ｐを付して示すように、天井板８に設けられた円形の取付穴８ａを介して天井板８の表面側から当該天井板８の裏面側へ、つまり天井裏へ、天井スピーカー１が挿入される。このとき、天井スピーカー１は、常套的には２つの端子台６および７が設けられている端部側（直方体状部分３ｎ側）から取付穴８ａに挿入される。そして、図２５（ｂ）に示すように、天井スピーカー１のスピーカーユニット２の放音面２ａが取付穴８ａを介して天井板８の表面側に露出するように、当該天井スピーカー１が天井裏に置かれる。この状態で、図２５（ｃ）に矢印５ａを付して示すように、スプリングコイル５の両端に設けられたフック５ｂおよび５ｂが、概略円盤状のパネル４の対応するフック係止部４ａおよび４ａに係止される。これにより、パネル４が天井スピーカー１に引き寄せられ、いわゆるスプリングキャッチ方式で当該パネル４が天井スピーカー１（筐体３）に取り付けられる。そして、このパネル４によって取付穴８ａごとスピーカーユニット２の放音面２ａが覆われる。これにより、パネル４を含む天井スピーカー１の一連の設置作業が終了する。なお、天井スピーカー１は、スプリングコイル５の弾性力によってパネル４と協同して天井板８を挟み込んだ状態で固定されるが、必要に応じて当該天井板８にネジ等の適当な固定部材で固定されることもある。
【先行技術文献】
【特許文献】
【０００５】
【非特許文献１】ＴＯＡ株式会社、インターネットホームページ、商品情報、天井スピーカー「ＣＭ−１８３０Ａ」および「ＣＭ−１８３０ＡＴ」、［２０１６年６月７日検索］、ＵＲＬ：http://www.toa.co.jp/products/prosound/speakers/speakers_ceiling/cm-1830a.htm、http://www.toa.co.jp/products/prosound/speakers/speakers_ceiling/cm-18030at.htm商品情報特開平９−３３１５９６号公報
【発明の概要】
【発明が解決しようとする課題】
【０００６】
ところで、この従来の天井スピーカー１は、（放音面２ａの）口径が約１２０ｍｍのスピーカーユニット２を採用している。それゆえに例えば、この天井スピーカー１のケース３（ベース３ａ）の長手方向が当該天井スピーカー１の長さ方向である、とすると、この天井スピーカー１の長さ方向における寸法Ｌ’は、Ｌ’＝２１５ｍｍである。また、この天井スピーカー１のケース３の短手方向が当該天井スピーカー１の幅方向である、とすると、この天井スピーカー１の幅方向における寸法Ｗ’は、Ｗ’＝１３４ｍｍである。さらに、天井スピーカー１の長さ方向および幅方向のそれぞれに直交する方向が当該天井スピーカー１の高さ方向である、とすると、この天井スピーカー１の高さ方向における寸法Ｈ’は、Ｈ’＝８０ｍｍである。このような大きさの天井スピーカー１が上述の要領で天井裏に設置されるには、天井板８に設けられる取付穴８ａの開口径Φ’は、少なくともΦ’＝１５０ｍｍは必要とされる。そして、この開口穴Φ’の上限は、１６０ｍｍ程度が適当である。さらに、天井裏の高さ寸法、言わば奥行寸法Ａ’、としては、Ａ’＝１３０ｍｍ以上であることが必要とされる。また、パネル４としては、その外径Ｂ’がＢ’＝１８０ｍｍのものが採用される。
【０００７】
即ち、パネル４を含む従来の天井スピーカー１が設置された状態を天井板８の表面側から見ると、Ｂ’＝１８０ｍｍという外径Ｂ’のパネル４を有するスピーカーが当該天井板８に埋め込まれているように見える。これにより、このパネル４が取り付けられた天井板８を含む室内空間の意匠性の維持が図られている。その一方で、同じ空間（天井板８）に、例えばダウンライトや天井埋込型の非常照明器具が設置されることがある。昨今のダウンライトや天井埋込型の非常照明器具は、その取付穴の開口径が１００ｍｍであり、この開口径に応じた大きさのものが多い。このようなダウンライトや非常照明器具と同じ空間に従来の天井スピーカー１が設置されると、これらダウンライトや非常照明器具に比べて従来の天井スピーカー１の外観に当たるパネル４の大きさが際立ってしまい、これにより当該空間の意匠性が損なわれてしまう、という問題がある。そのために市場からは、パネルを含む天井スピーカーの小型化が要求されている。また例えば、天井スピーカーの設置に必要な取付穴の開口径が、ダウンライトや非常照明器具の設置に必要な取付穴の開口径と同じであれば、つまり１００ｍｍであれば、これらの取付穴を設ける際の作業効率の向上が図られる。このことからも、パネルを含む天井スピーカーの小型化が要求されている。加えて、天井スピーカーの小型化が実現されれば、天井裏の奥行寸法がさらに小さい状況下での設置も可能となり、市場の拡大が期待される。
【０００８】
そこで、本発明は、従来よりも小型の天井スピーカーを提供することを、目的とする。
【課題を解決するための手段】
【０００９】
本発明は、天井板に設けられた取付穴を介して上記天井板の裏面側に挿入されることにより、スピーカーユニットの放音面が該天井板の表面側に露出するように該天井板の裏面側に設置される天井スピーカーを、前提する。この前提の下、スピーカーユニットを含む複数の部品要素を収容する筐体を備え得る。筐体は、上記部品要素が搭載されるベースであって上記天井板の裏面側において上記取付穴をまたぐ形で載置されるベースと、当該ベース上に搭載された上記部品要素を覆うカバーとを含んでいる。上記スピーカーユニットの放音面の中心軸に直交する第１方向における筐体の寸法は、該放音面の中心軸および該第１方向のそれぞれに直交する第２方向における該筐体の寸法よりも大きい。上記複数の部品要素は、上記スピーカーユニットを含み、共に上記スピーカーユニットに比して上記第２方向における寸法及び上記放音面の中心軸に沿う方向における寸法が小さい第１電気部品と第２電気部品とも、含んでいる。スピーカーユニットはベース上において第１方向および上記第２方向のそれぞれにおける略中央に配置されている。ベースにおける上記第１方向の一方端と上記スピーカーユニットとの間で定義される第１仮想平面に第１電気部品が配置されるとともに、ベースにおける第１方向の他方端と上記スピーカーユニットとの間で定義される第２仮想平面に第２電気部品が配置されることにより、カバーを概略錐台状に形成可能にしている。
【００１０】
即ち、本発明によれば、スピーカーユニットを含む複数の部品要素は、筐体内に収容されている。ここで例えば、第１方向が筐体の長さ方向であり、第２方向が当該筐体の幅方向である、とする。そして、これら第１方向および第２方向のそれぞれに直交する方向、つまりスピーカーユニットの放音面の中心軸に沿う方向が、筐体の高さ方向である、とする。その上で、スピーカーユニットを含む各部品要素のうち筐体の高さ方向における寸法、つまり高さ寸法、が最も大きい第１特定要素が、筐体内の長さ方向および幅方向のそれぞれにおける略中央に位置する。そして、スピーカーユニットの放射面の中心軸を含みかつ長さ方向に沿う仮想平面上に、当該各部品要素のうち第１特定要素とは別の第２特定要素が位置する。これにより、例えば筐体の外形が概略錐台状（言わば山形状）になるように形成されることができ、言い換えればこの概略錐台状の筐体内に各部品が収められるようになる。このように筐体の外形が概略錐台状されることで、天井スピーカーの小型化が図られ、ひいては当該天井スピーカーの取付穴を介しての天井裏への設置作業の容易化が図られる。そして、取付穴の開口径の縮小化が図られると共に、天井スピーカーの設置が可能な天井裏の奥行寸法の縮小化が図られる。
【００１１】
第１の電気部品はマッチングトランスに、第２の電気部品はアッテネーター用トランスにすることができる。
【００１２】
カバーを、スピーカーユニットを覆う部分を上底とし、ベースを下底とする概略四角錐台に形成さすることもできる。さらに、上記上底と上記下底とをつなぐ傾斜面において、第１電気部品と第２電気部品を覆う部分については、第１電気部品と第２電気部品それぞれの形状に合うように、上記カバーを概略直方体状に形成することもできる。
【００１３】
なお、本発明においては、天井板の表面側において取付穴ごとスピーカーユニットの放音面がパネルによって覆われることがある。このパネルは、概略線状の伸縮弾性体によって筐体に引き寄せられ、天井スピーカ（筐体）に取り付けられる。そのために筐体には、当該伸縮弾性体が挿通される一対の貫通孔が該筐体に設けられる。上記一対の貫通孔の一方は、上記第１仮想平面と上記スピーカーユニットとの間の位置であって上記第２方向における上記筐体の一方端側に設けられ、上記一対の貫通孔の他方は、上記第２仮想平面と上記スピーカーユニットとの間の位置であって上記第２方向における上記筐体の他方端側に設けられている。
【００１４】
さらに、当該一対の貫通孔の一方は、上述の第１仮想平面から外れた位置であって筐体の幅方向における当該筐体の一方端側に設けられてもよい。そして、他方の貫通孔は、上述の第２仮想平面から外れた位置であって筐体の幅方向における当該筐体の他方端側に設けられてもよい。
【００１５】
ところで、筐体には、スピーカーユニットの放音面を当該筐体の外部に露出させるための開口穴が形成されている。そして、この開口穴の周縁の一部または全部に沿うように備えられ、かつ、スピーカーユニットの放音面の中心軸に沿う方向に沿って筐体の外部に向かって突出した、突出壁が、設けられてもよい。このような突出壁が設けられることによって、スピーカーユニットの放音面の裏側から放出された逆位相の音が開口穴以外の部分を介して、とりわけ上述の一対の貫通孔が設けられている場合には当該一対の貫通孔を介して、スピーカーユニットの放音面側に回り込んで、当該放音面から放出される音を打ち消してしまう、という不都合が抑制される。これにより、音質の向上が図られる。
【００１６】
加えて、筐体における天井板の裏面と対峙する部分において、スピーカーユニットの放音面の中心軸の径方向における当該放音面の周縁よりも外方の位置に備えられ、かつ、当該放音面の中心軸に沿う方向に沿って筐体の外部に向かって突出した、突出部が、さらに設けられてもよい。即ち、本発明によれば、上述の如く取付穴の開口径の縮小化が図られるが、本発明の天井スピーカーは、例えば従来の天井スピーカー１の代替品として設置されることがあり、つまり開口径が１５０ｍｍという必要以上に大きい取付穴が設けられている場所に設置されることがある。この場合、本発明の天井スピーカーの設置状況によっては、当該天井スピーカーが取付穴をすり抜けて落下することが懸念される。これを回避するために、ここで言う突出部が設けられる。即ち、この突出部が取付穴と係合することで、本発明の天井スピーカーが当該取付穴をすり抜けて落下することが回避される。
【００１７】
また、筐体における天井板の裏面と対峙する部分のうち、当該筐体の長さ方向における途中が当該筐体の幅方向における当該筐体の内側に狭められてもよい。言い換えれば、筐体の長さ方向における途中に、当該筐体の幅寸法が狭められた言わばくびれが設けられてもよい。このようなくびれが設けられることによって、本発明の天井スピーカーの取付穴を介しての天井裏への設置作業の容易化が図られる。このこともまた、取付穴の開口径の縮小化に大きく貢献すると共に、天井スピーカーの設置が可能な天井裏の奥行寸法の縮小化に大きく貢献する。
【００１８】
さらに、本発明においては、第１端子台と第２端子台とが設けられてもよい。このうちの第１端子台は、複数の第１通常端子を含む第１通常端子群と、複数の第１緊急端子を含む第１緊急端子群と、複数の共通端子を含む共通端子群と、を有する。そして、第２端子台は、第１通常端子群と相互に接続されている少なくとも１つの第２通常端子と、第１緊急端子群と相互に接続されている少なくとも１つの第２緊急端子と、複数のスピーカー入力端子を含むスピーカー入力端子群と、を有する。これに加えて、第１通常端子群とスピーカー入力端子群とを互いに接続する状態と非接続とする状態とを選択的に切り換える切換手段が、設けられてもよい。そして、スピーカーユニットの一対の入力端子の一方、例えば陽極入力端子が、スピーカー入力端子群に接続されているものとする。また、当該スピーカーユニットの一対の入力端子の他方、例えば陰極入力端子が、共通端子群に接続されているものとする。この構成によれば、後述する如く特に外部アッテネーターとの接続が簡素化され、また、渡り配線が設けられる際の接続も簡素化される。
【００１９】
本発明における上述の第１特定要素とは、例えばスピーカースピーカーである。そして、上述の第２特定要素としては、例えば当該スピーカーユニットに接続されるマッチングトランスが含まれる。この場合、マッチングトランスは、上述の第１仮想平面上と第２仮想平面上とのいずれかに配置されるものとする。
【発明の効果】
【００２０】
上述したように、本発明によれば、従来よりも小型の天井スピーカーを提供することができる。これにより、本発明の天井スピーカーが天井板に設置されたときの、とりわけパネルが取り付けられたときの、当該天井を含む室内空間の意匠性が、従来よりも向上する。また例えば、天井板に設けられる取付穴の開口径を、昨今のダウンライトや非常照明器具の設置に必要な取付穴の開口径と同じにすることができ、これらの取付穴を設ける際の作業効率の向上が図られる。さらに、従来に比べて、天井裏の奥行寸法が小さい状況下での設置が可能となるので、市場の拡大が期待される。
【図面の簡単な説明】
【００２１】
【図１】本発明の一実施形態に係る天井スピーカーのＣＧによる斜視図である。
【図２】図１とは異なる方向からのＣＧによる斜視図である。
【図３】図２とはさらに異なる方向からのＣＧによる斜視図である。
【図４】同天井スピーカーのＣＧによる外観図である。
【図５】図４とは異なる方向からのＣＧによる外観図である。
【図６】図４におけるカバーが外された状態を示す図である。
【図７】図５におけるカバーが外された状態を示す図である。
【図８】図１と同じ方向からの斜視図である。
【図９】図２と同じ方向からの斜視図である。
【図１０】図３と同じ方向からの斜視図である。
【図１１】図４と同じ方向からの外観図である。
【図１２】図５と同じ方向からの外観図である。
【図１３】図１１におけるカバーが外された状態を示す図である。
【図１４】図１２におけるカバーが外された状態を示す図である。
【図１５】同天井スピーカーの設置作業時の一状態を示す図解図である。
【図１６】同天井スピーカーの設置状態を示す図解図である。
【図１７】図１６とは異なる環境下での同天井スピーカーの設置条体を示す図解図である。
【図１８】同天井スピーカーの周波数特性を示す図である。
【図１９】同天井スピーカーの比較対象としての従来の天井スピーカーの配線例を示す図である。
【図２０】同実施形態に係る天井スピーカーの配線例を示す図である。
【図２１】従来の天井スピーカーの図１９とは異なる配線例を示す図である。
【図２２】同実施形態に係る天井スピーカーの図２０とは異なる配線例を示す図である。
【図２３】従来の天井スピーカーのＣＧによる斜視図である。
【図２４】従来の天井スピーカーの写真による外観図である。
【図２５】従来の天井スピーカーの設置要領を説明するための図解図である。
【発明を実施するための形態】
【００２２】
本発明の一実施形態について、図１〜図２２を参照して説明する。
【００２３】
まず、図１〜図３に、本実施形態に係る天井スピーカー１０の適宜の方向からのＣＧによる斜視図を示す。そして、図４および図５に、当該天井スピーカー１０のＣＧによる外観図（六面図）を示す。さらに、図６および図７に、当該図４および図５における後述するカバー１２が外された状態を示す。そして、図８〜図１０に、図１〜図３と同じ方向からの斜視図を示す。また、図１１および図１２に、図４および図５と同じ方向からの外観図を示す。そして、図１３および図１４に、当該図１１および図１２におけるカバー１２が外された状態を示す。なお、図８〜図１４においては、これらの見易さを考慮して、本来は線図で表されないＲ部についても、適宜に線図で表してある。
【００２４】
これら図１〜図１４を参照して分かるように、本実施形態に係る天井スピーカー１０は、ダイナミック型のスピーカーユニット１４を有している。このスピーカーユニット１４は、マッチングトランス１６等の他の部品と共に、筐体としての硬質樹脂製のケース１８内に収容されている。ケース１８は、スピーカーユニット１４を含む各部品が搭載される概略矩形平板状のベース２０と、このベース２０に搭載された各部品を覆う上述のカバー１２と、から成る。
【００２５】
ベース２０には、スピーカーユニット１４の放音面１４ａを当該ベース２０（ケース１８）の外部に露出させるための円形の開口穴２０ａが設けられている。この開口穴２０ａは、その中心がベース２０の短手方向における中央に位置し、かつ、当該中心がベース２０の長手方向における中央よりもほんの少し一方端寄りに位置するように、設けられている。そして、この開口穴２０ａには、スピーカーユニット１４の放音面１４ａを保護するための適宜形状の、例えば概略網の目状の、保護条体２０ｂが設けられている。この保護条体２０ｂのうち、開口穴２０ａの中心を通り、かつ、ベース２０の長手方向に沿って延伸する直線状の部分２０ｃは、ベース２０の厚さ方向に適当な寸法を有しており、当該ベース２０の機械的強度を向上させるためにリブとしても機能する。また、保護条体２０ｂのうち、ベース２０の短手方向においてリブ２０ｃを挟んで当該リブ２０ｃと隣り合うと共に、当該リブ２０ｃに向かって凸に湾曲した２つの部分２０ｄおよび２０ｄも同様に、ベース２０の厚さ方向に適当な寸法を有しており、つまりリブとして機能する。さらに、開口穴２０ａの周縁の一部、詳しくはベース２０の両側縁に接する部分とその近傍とを除いた部分２０ｅおよび２０ｅもまた、ベース２０の厚さ方向に適当な寸法を有しており、つまりリブ状に形成されている。
【００２６】
ここで例えば、ベース２０の長手方向が、当該ベース２０を含む天井スピーカー１０の長さ方向である、とする。そして、ベース２０の短手方向が、当該ベース２０を含む天井スピーカー１０の幅方向である、とする。さらに、これら長さ方向および幅方向のそれぞれに直交する方向が、天井スピーカー１０の高さ方向である、とする。そうすると、ベース２０の長さ方向における中央よりもほんの少し一方端寄りであって、当該ベース２０の幅方向における中央に、つまりは当該ベース２０の長さ方向および幅方向のそれぞれにおける略中央に、スピーカーユニット１４が位置することになる。なお、スピーカーユニット１４は、ベース２０に搭載される各部品のうち最も高さ寸法が大きく、また、当該ベース２０の長さ方向および幅方向のそれぞれにおける寸法も最大である。
【００２７】
スピーカーユニット１４の他に寸法の大きい部品としては、とりわけ高さ寸法が大きい部品としては、マッチングトランス１６とアッテネーター用のオートトランス２２とがある。このうちのマッチングトランス１６は、ベース２０の長さ方向においては、スピーカーユニット１４と当該スピーカーユニット１４がほんの少し寄っている側のベース２０の一方端縁との間に配置されており、また、出来る限りスピーカーユニット１４に近づけて配置されている。そして、ベース２０の幅方向においては、マッチングトランス１６は、当該幅方向の中央に配置されており、つまりスピーカーユニット１４の放音面１４ａの中心軸を含みかつベース２０の長さ方向に沿う仮想の平面上に配置されている。さらに、このマッチングトランス１６自体の向きも、定められている。即ち、マッチングトランス１６は、概略直方体状の中空の鉄心１６ａと、この鉄心１６ａに巻き付けられた巻き線１６ｂと、を有しており、ここで採用されている当該マッチングトランス１６に関しては、鉄心１６ａ部分の高さ寸法の方が巻き線１６ｂ部分の高さ寸法よりも大きい。そして、後で詳しく説明するカバー１２を含む天井スピーカー１０全体の小型化のために、このマッチングトランス１６は、天井スピーカー１０（ベース２０）の長さ方向において鉄心１６ａ部分の寸法が短くなるような向きで、つまりここでは鉄心１６ａの中空部分（巻き線１６ｂが巻かれている空間）の開口部が当該天井スピーカー１０の長さ方向に直交するような向きで、配置されている。
【００２８】
一方、オートトランス２２は、スピーカーユニット１４を挟んでマッチングトランス１６とは反対側に配置されている。このオートトランス２２もまた、スピーカーユニット１４の放音面１４ａの中心軸を含みかつベース２０の長さ方向に沿う上述の仮想平面上に配置されている。そして、このオートトランス２２は、出来る限りスピーカーユニット１４に近づけて配置されている。さらに、このオートトランス２２は、マッチングトランス１６と同様、それ自体の向きが定められている。即ち、このオートトランス２２は、概略直方体状の中空の鉄心２２ａと、この鉄心２２ａに巻き付けられた巻き線２２ｂと、を有しており、ここで採用されている当該オートトランス２２に関しては、鉄心２２ａ部分の高さ寸法の方が巻き線２２ｂ部分の高さ寸法よりも大きい。そして、このオートトランス２２は、天井スピーカー１０の長さ方向において鉄心２２ａの寸法が短くなるような向きで、つまりここでは鉄心２２ａの中空部分（巻き線２２ｂが巻かれている空間）の開口部が当該天井スピーカー１０の長さ方向に直交するような向きで、配置されている。
【００２９】
さらに、オートトランス２２が配置されている側のベース２０の端縁部分に、適宜の配線が接続される２つの端子台２４および２６が設けられている。これらの端子台２４および２６は、オートトランス２２と共通のプリント配線板２８に搭載されている。なお、上述のマッチングトランス１６は、別のプリント配線板３０に搭載されている。言い換えれば、マッチングトランス１６とオートトランス２２とがスピーカーユニット１４を挟んで１列に配置されるように、敢えて当該マッチングトランス１６とオートトランス２２とが互いに別個のプリント配線板２８および３０に搭載されている。
【００３０】
これ以外の部品については、スピーカーユニット１４，マッチングトランス１６およびオートトランス２２に比べて小型であり、適宜の位置に配置されており、詳しくは２つのプリント配線板２８および３０に適宜に搭載されている。ただし、ベース２０の長さ方向において、各部品は、スピーカーユニット１４に出来る限り近づけて配置されている。これにより、ベース２０の長さ方向における当該ベース２０を含む天井スピーカー１０全体の寸法、つまり長さ寸法、の縮小化が図られている。また、ベース２０の幅方向においては、各部品は、スピーカーユニット１４の両端縁よりも当該ベース２０の内側に位置するように配置されている。これにより、ベース２０の幅方向における当該ベース２０を含む天井スピーカー１０全体の寸法、つまり幅寸法、の縮小化が図られている。
【００３１】
そして、このベース２０に搭載されたスピーカーユニット１４を含む各部品を覆うように、当該ベース２０にカバー１２が取り付けられ、詳しくはネジ止めされる。このカバー１２は、ベース２０に搭載された各部品のうち最も高さ寸法の大きいスピーカーユニット１４を覆う部分を上底とする概略四角錐台状の形状をしており、これにより、当該カバー１２自体の小型化（言わばスリム化）が図られており、ひいては天井スピーカー１０の小型化が図られている。ただし、このケース１２のうちのマッチングトランス１６を覆う部分１２ａについては、当該マッチングトランス１６の外形に合うように、概略直方体状に形成されている。また、この直方体状部分１２ａの角部については、面取り状に形成されており、とりわけ天井スピーカー１０の端部側（スピーカーユニット１４から離れている側）に位置する角部については、マッチングトランス１６の上述した鉄心１６ａと巻き線１６ｂとの形状（段差）に応じて大きめの面取り状とされている。これと同様に、ケース１２のうちのオートトランス２２を覆う部分１２ｂについても、当該オートトランス２２の外形に合うように、概略直方体状に形成されている。また、この直方体状部分１２ｂの角部についても、面取り状に形成されており、とりわけ天井スピーカー１０の端部側（スピーカーユニット１４から離れている側）に位置する角部については、オートトランス２２の上述した鉄心２２ａと巻き線２２ｂとの形状に応じて大きめの面取り状とされている。加えて、この直方体状部分１２ｂの上面に当たる部分には、後述する要領で天井スピーカー１０が設置される際の向きを表す三角形の矢印１２ｃが当該直方体部分１２ｂ（カバー１２）と一体に形成されている。
【００３２】
さらに、カバー１２の外側面には、図示しないパネルの取付に用いられる図示しない伸縮弾性体としてのスプリングコイルを拘束するための概略凹状の細長い拘束溝１２ｄが設けられている。具体的には、この拘束溝１２ｄは、スピーカーユニット１４の放音面１４ａの中心軸を通り、かつ、天井スピーカー１０の長さ方向および幅方向のそれぞれに対して斜めの方向に延伸するように、設けられている。併せて、カバー１２における当該拘束溝１２ｄの両端に当たる部分の近傍に、スプリングコイルの両端が別個に挿通される一対の貫通孔１２ｅおよび１２ｆが設けられている。即ち、これら一対の貫通孔１２ｅおよび１２ｆは、スピーカーユニット１４の放音面１４ａの中心軸を含みかつカバー１２（ベース２０）の長さ方向に沿う上述の仮想平面から外れた位置であって、カバー１２の幅方向におけるスピーカーユニット１４の両端縁よりも当該カバー１２の内側の位置に、設けられている。また、ベース２０の当該貫通孔１２ｅおよび１２ｆに対応する位置にも、同様の一対の貫通孔２０ｆおよび２０ｇが設けられている。このような位置にこれらの貫通孔１２ｅ，１２ｆ，２０ｆおよび２０ｇが設けられることで、例えば当該貫通孔１２ｅ，１２ｆ，２０ｆおよび２０ｇがここで言う仮想平面上に設けられる場合に比べて、当該貫通孔１２ｅ，１２ｆ，２０ｆおよび２０ｇが設けられることによるケース１８の長さ寸法の増大が抑制され、ひいては天井スピーカー１０全体の長さ寸法の増大が抑制される。また例えば、これらの貫通孔１２ｅ，１２ｆ，２０ｆおよび２０ｇがケース１８の幅方向におけるスピーカーユニット１４の両端縁よりも外側の位置に設けられる場合に比べて、当該貫通孔１２ｅ，１２ｆ，２０ｆおよび２０ｇが設けられることによるケース１８の幅寸法の増大が抑制され、ひいては天井スピーカー１０全体の幅寸法の増大が抑制される。
【００３３】
ここで改めてベース２０に注目すると、このベース２０における上述の一対の貫通孔２０ｆおよび２０ｇの近傍には、必要に応じて当該ベース２０を含む天井スピーカー１０を後述する天井板１００にネジ止めするための一対のネジ挿通穴２０ｈおよび２０ｉが設けられている。そして、カバー１２には、この一対のネジ挿通穴２０ｈおよび２０ｉとの干渉を避けるための適宜の窪み１２ｇおよび１２ｈが設けられている。
【００３４】
さらに、ベース２０の一方の側縁には、ケース１２が取り付けられる側とは反対側に向かって、言わば下方に向かって、突出した２つの突出部２０ｊおよび２０ｋが設けられている。これらの突出部２０ｊおよび２０ｋは、そのエッジ部分がスピーカーユニット１４の放音面１４ａの中心軸の径方向における当該放音面１４ａの周縁よりも外方に位置するように設けられている。また、ベース２０の他方の側縁にも、同様の２つの突出部２０ｎおよび２０ｐが設けられている。
【００３５】
加えて、ベース２０の長さ方向における途中の部分、例えばスピーカーユニット１４が位置する部分、においては、当該ベース２０の幅寸法が狭められており、言わば湾曲状のくびれ２０ｑおよび２０ｑが設けられている。また、このくびれ２０ｑおよび２０ｑが設けられている部分においては、上述の突出部２０ｊ，２０ｋ，２０ｎおよび２０ｐが設けられないように形成されており、つまりベース２０の両側縁の厚みが抑えられている。
【００３６】
そして、ベース２０の適宜の位置、例えば当該ベース２０の一方の側縁に近い適宜の位置に、天井スピーカー１０の落下を防止するためのワイヤが巻着されるワイヤ巻着穴２０ｒが設けられている。これに合わせて、カバー１２には、当該ワイヤ巻着穴２０ｒへのワイヤの巻着を可能とするべく、適宜の切欠１２ｉが設けられている。
【００３７】
また、上述の各部品には、複数の、例えば４つの、スイッチが含まれており、ベース２０には、これら４つのスイッチを操作するための、言い換えれば当該４つのスイッチの操作ツマミ３２ａ，３２ｂ，３２ｃおよび３２ｄをカバー１８の外部に露出させるための、４つの貫通孔２０ｓ，２０ｔ，２０ｕおよび２０ｖが設けられている。
【００３８】
そして改めてカバー１２に注目すると、このカバー１２には、適当な形状かつ大きさの放熱穴１２ｊ，１２ｊ，…が設けられている。
【００３９】
このように構成された天井スピーカー１０は、次の要領で設置される。即ち、２つの端子台２４および２６に適宜の配線が接続される。その上で、図１５（ａ）に矢印１０２を付して示すように、天井板１００に設けられた円形の取付穴１００ａを介して天井板１００の表面側から当該天井板１００の裏面側へ、つまり天井裏へ、天井スピーカー１０が挿入される。このとき、天井スピーカー１は、２つの端子台２４および２６が設けられている端部側から、つまり上述した三角形の矢印１２ｃで示される方向に従って、取付穴１００ａに挿入される。
【００４０】
ここで、図１５（ａ）に示す状態を天井スピーカー１０の正面の方向から見ると、図１５（ｂ）に示すようになる。この図１５（ｂ）から分かるように、天井スピーカー１０が円形の取付穴１００ａに対して斜めに挿入されることによって、当該天井スピーカー１０にとって取付穴１００ａが扁平の楕円形になる。これは、天井スピーカー１００ａの設置作業において障害となるが、上述したように天井スピーカー１０（ベース２０）にはくびれ２０ｑおよび２０ｑが設けられているので、その分、当該天井スピーカー１０と取付穴１００ａとの間に余裕が生まれ、当該天井スピーカー１０の設置作業の容易化が図られる。また、天井スピーカー１０（カバー１２）は、上述の如く概略四角錐台に形成されているので、これによっても、当該天井スピーカー１０の設置作業の容易化が図られる。
【００４１】
そして、天井スピーカー１０が取付穴１００ａを挿通（通過）した後、図１６に示すように、当該天井スピーカー１０が天井裏に置かれる。即ち、スピーカーユニット１４の放音面１４ａが取付穴１００ａを介して天井板１００の表面側に露出するように、当該天井スピーカー１０が設置される。このとき、天井スピーカー１０は、上述した４つの突出部２０ｊ，２０ｋ，２０ｎおよび２０ｐの先端（下方端）を天井板１００の裏面（上面）に当接させた状態で設置される。この後は、従来と同様、図示しないスプリングコイルの両端に設けられたフック３４および３４が、図示しないパネルの対応するフック係止部に係止され、当該パネルが天井スピーカー１０に取り付けられる。
【００４２】
本実施形態の天井スピーカー１０は、（放音面１４ａの）口径が８０ｍｍのスピーカーユニット１４を採用している。このことから、当該天井スピーカー１０の長さ寸法Ｌは、Ｌ＝１８０ｍｍとされている。そして、この天井スピーカー１０の幅寸法Ｗは、Ｗ＝８０ｍｍであり、つまりスピーカーユニット１４の口径と同じである。そして、この天井スピーカー１０の高さ寸法Ｈは、Ｈ＝５４ｍｍである。即ち、本実施形態の天井スピーカー１０は、上述の従来の天井スピーカー１に比べて、遥かに小型であり、約５０％の小型化が実現されている。なお、８０ｍｍの口径のスピーカーユニット１４が採用されるのは、コスト（採算）面を考慮しつつ、１Ｗの入力でＬ級という規準が満足されるようにするためであり、それには、これくらいの口径のものが必要とされるからである。
【００４３】
このような小型の本実施形態の天井スピーカー１０が上述の要領で天井裏に設置されるには、天井板１００に設けられる取付穴１００ａの開口径Φは、Φ＝１００ｍｍであれば足りる。このΦ＝１００ｍｍという開口径Φで足りるのは、天井スピーカー１０が小型化されたことのみならず、上述の如く当該天井スピーカー１０にくびれ２０ｑおよび２０ｑが設けられたこと、および、当該天井スピーカー１０（カバー１２）の外形が概略四角錐台とされたことも、大きく貢献している。また当然であるが、この取付穴１００ａの開口径Φは、天井スピーカー１０の長さ寸法Ｌよりも小さく（Φ＜Ｌ）、当該天井スピーカー１０の幅寸法Ｗよりも大きく（Φ＞Ｗ）、当該天井スピーカー１０の高さ寸法Ｈよりも大きい（Φ＞Ｈ）。
【００４４】
そして、このΦ＝１００ｍｍという取付穴１００ａの開口径Φは、昨今のダウンライトや非常照明器具の設置に必要な取付穴の開口径と同じである。従って、この天井スピーカー１０用の取付穴１００ａを含め、ダウンライトや非常照明器具用の取付穴を設ける際の作業効率の向上が図られる。また、このように取付穴１００ａの開口径Φが小さいことから、これを覆うパネルの外径も小さくなり、当該パネルを含む天井スピーカー１０が設置されたときの意匠性が、従来よりも向上する。
【００４５】
さらに、天井裏の奥行寸法Ａとしては、Ａ＝７０ｍｍ以上であれば足りる。これに対して、従来の天井スピーカー１では、上述の如くＡ’＝１３０ｍｍ以上という奥行寸法Ａ’が必要であるため、この従来の天井スピーカー１に比べて、本実施形態の天井スピーカー１０によれば、設置可能な場面が広がり、市場の拡大が期待される。
【００４６】
加えて、本実施形態の天井スピーカー１０は、例えば従来の天井スピーカー１の代替品としての設置も可能である。この場合、Φ＝１５０ｍｍという開口径Φの取付穴１００ａに本実施形態の天井スピーカー１０が取り付けられることになるので、この天井スピーカー１０の設置状況（位置）によっては、当該天井スピーカー１０が取付穴１００ａをすり抜けて落下することが懸念される。しかし、本実施形態の天井スピーカー１０は、上述した４つの突出部２０ｊ，２０ｋ，２０ｎおよび２０ｐを備えており、図１７に示すように、これら４つの突出部２０ｊ，２０ｋ，２０ｎおよび２０ｐが取付穴１００ａに係合することで、当該天井スピーカー１０が取付穴１００ａをすり抜けて落下することが回避される。なお、天井スピーカー１０の長さ方向における各突出部２０ｊおよび２０ｋ（または２０ｋおよび２０ｎ）のエッジ間の距離Ｃは、例えば１３４ｍｍとされている。
【００４７】
また、本実施形態の天井スピーカー１０によれば、スピーカーユニット１４の放音面１４ａを露出させるための開口穴２０ａの周縁を囲むように言わば円弧状のリブ２０ｅおよび２０ｅが設けられているので、音質の向上が図られる。即ち、スピーカーユニット１４の放射面１４ａの表側から音が放出されるが、これと同時に、当該放射面１４ａの裏側から逆位相の音が放出される。そして、この逆位相の音が開口穴２０ａ以外の部分を介して、とりわけスプリングコイルを挿通させるためにベース２０に設けられた一対の貫通孔２０ｆおよび２０ｇを介して、放音面１４ａ側に回り込むことで、当該放音面１４ａから放出される音が打ち消されてしまうことが懸念される。しかしながら、円弧状のリブ２０ｅおよび２０ｅが設けられることで、特にこの円弧状リブ２０ｅおよび２０ｅが一対の開口穴２０ｆおよび２０ｇと開口穴２０ａとの間に介在することで（つまりはそのような位置関係とされていることで）、当該逆位相の音の回り込みが抑制され、ひいては音質の向上が図られる。
【００４８】
図１８に、円弧状リブ２０ｅおよび２０ｅが設けられている場合と、当該円弧状リブ２０ｅおよび２０ｅが設けられていない場合との、周波数特性を示す。なお、この図１８において、太実線の曲線αが、円弧状リブ２０ｅおよび２０ｅが設けられている場合の周波数特性を示し、太破線の曲線βが、当該円弧状リブ２０ｅおよび２０ｅが設けられていない場合の周波数特性を示す。この図１８から分かるように、概ね１ｋＨｚを境として、これよりも低い周波数帯域においては、円弧状リブ２０ｅおよび２０ｅが設けられている場合の方が、当該円弧状リブ２０ｅおよび２０ｅが設けられていない場合に比べて、１ｄＢ以上高い音圧レベルが得られる。これは、音声警報音第２シグナルの周波数帯域での音圧レベルの増大に寄与することを意味し、特に、８０ｍｍという小型のスピーカーユニット１４が採用されているにも拘らず、上述の如く１Ｗの入力でＬ級という規準を満足するのに極めて有効である。その一方で、１ｋＨｚよりも高い周波数帯域においては、円弧状リブ２０ｅおよび２０ｅが設けられている場合と、当該円弧状リブ２０ｅおよび２０ｅが設けられていない場合とで、特段な差異はない。言い換えれば、円弧状リブ２０ｅおよび２０ｅが設けられることによる不都合はない。このように、円弧状リブ２０ｅおよび２０ｅが設けられることによって、音質の向上が図られるので、非常放送用のみならず、業務放送用への応用も実現できる。なお、ここでは概ね１ｋＨｚとなっている言わば境界周波数は、ケース１８の形状や大きさ（容量）によって決まる。
【００４９】
なお、本実施形態において説明した内容は、本発明の一具体例であり、本発明の範囲を制限するものではない。
【００５０】
例えば、スピーカーユニット１４として口径が８０ｍｍのダイナミック型のものが採用されたが、これ以外の大きさのダイナミック型のものが採用されてもよい。この場合は当然に、当該口径を含むスピーカーユニット１４の大きさに応じて、天井スピーカー１０全体の大きさが変わり、また、形状が変わることもある。そして、スピーカーユニット１４としてダイナミック型以外のものが採用されてもよい。
【００５１】
さらに、アッテネーター用のオートトランス２２については、搭載されない場合がある。即ち、オートトランス２２を含むアッテネーターが搭載されず、外部のアッテネーターが用いられる場合がある。本実施形態の天井スピーカー１０においては、このアッテネーターが搭載される場合でも、そうでない場合でも、共通のケース１８が用いられ、とりわけ共通のカバー１２が用いられる。ただし、アッテネーターが搭載されている場合と、そうでない場合とで、互いに別個のカバー１２が用いられてもよい。特に、アッテネーターが搭載されない場合には、オートトランス２２を覆う部分である直方体状部分１２ｂが設けられていないカバーが用いられてもよく、つまりはそのようなカバーが用意されていてもよい。また、アッテネーターとして、オートトランス２２を用いたオートトランス方式ではなく、適宜の抵抗器を用いた抵抗方式のものが採用されてもよく、この場合も、オートトランス２２が設けられないため、当該オートトランス２２を覆うための直方体部分１２ｂが不要であり、これに応じた形状のカバーが用いられてもよい。
【００５２】
ところで、上述の従来の天井スピーカー１では、特にアッテネーターが搭載されておらず、外部のアッテネーターを用いるタイプのものでは、各端子台６および７への配線が複雑であり、そのために接続ミスを起こし易い、という別の問題がある。本実施形態の天井スピーカー１０によれば、この問題を解決するための工夫も施されている。
【００５３】
具体的には、従来の天井スピーカー１の各端子台６および７は、図１９に示すような構成とされている。即ち、一方の端子台６は、幹線と接続される中継端子であり、３つのＮ（NORMAL：通常）端子６ａ，６ａおよび６ａと、３つのＲ（URGENCY：緊急）端子６ｂ，６ｂおよび６ｂと、３つのＣＯＭ（COMMON：共通）端子６ｃ，６ｃおよび６ｃと、を有している。そして、他方の端子台７は、スピーカーユニット２と接続されるスピーカー入力端子であり、２つのＳＰ−ＨＯＴ（SPEAKER HOT：陽極）端子７ａおよび７ａと、２つのＳＰ−ＣＯＭ（SPEAKER COMMON：陰極）端子７ｂおよび７ｂと、を有している。なお、スピーカー入力端子７の各ＳＰ−ＨＯＴ端子７ａおよび７ａは、スピーカーユニット２の陽極入力端子に接続されている。そして、スピーカー入力端子７の各ＳＰ−ＣＯＭ端子７ｂおよび７ｂは、スピーカーユニット２の陰極入力端子に接続されている。ただし厳密には、スピーカーユニット２の入力側に上述のマッチングトランスが設けられているが、ここでは説明の便宜上、当該マッチングトランスの図示を省略してある。さらに、スピーカー入力端子７の各ＳＰ−ＣＯＭ端子７ｂおよび７ｂは、中継端子６の各ＣＯＭ端子６ｃ，６ｃおよび６ｃと接続されている。
【００５４】
このような中継端子６とスピーカー入力端子７とを備える従来の天井スピーカー１が３線式のスピーカーラインに適用される場合、その幹線の（図示しないアンプからの）配線５０のＮライン５０ａ，Ｒライン５０ｂおよびＣＯＭライン５０ｃが、それぞれ中継端子６のＮ端子６ａ，Ｒ端子６ｂおよびＣＯＭ端子６ｃに接続される。これと同様に、幹線への（図示しない他のスピーカーへの）送り配線５２のＮライン５２ａ，Ｒライン５２ｂおよびＣＯＭライン５２ｃが、それぞれ中継端子６のＮ端子６ａ，Ｒ端子６ｂおよびＣＯＭ端子６ｃに接続される。そして、外部アッテネーター（ＡＴＴ）７０が接続される。この外部アッテネーター７０は、Ｎ端子７０ａ，Ｒ端子７０ｂおよびＳＰ（SPEAKER：陽極）端子７０ｃを１つずつ有している。このうちのＮ端子７０ａは、外部アッテネーター７０用に敷設されたアッテネーター接続配線５４のＮライン５４ａを介して、天井スピーカー１の中継端子６のＮ端子６ａに接続される。そして、外部アッテネーター７０のＲ端子７０ｂは、アッテネーター接続配線５４のＲライン５４ｂを介して、天井スピーカー１の中継端子６のＲ端子６ｂに接続される。さらに、外部アッテネーター７０のＳＰ端子７０ｃは、アッテネーター接続配線５４のＳＰライン５４ｃを介して、天井スピーカー１のスピーカー入力端子７のＳＰ−ＨＯＴ端子７ａに接続される。
【００５５】
この図１９に構成から分かるように、送り配線５２を含む幹線５０および５２については、中継端子６への接続のみで済む。ところが、外部アッテネーター７０を接続するためのアッテネーター接続配線５４については、中継端子６およびスピーカー入力端子７の両方への接続が必要であり、複雑である。このため、接続ミスを起こし易い。
【００５６】
これに対して、本実施形態の天井スピーカー１０の各端子台２４および２６は、図２０に示すような構成とされている。即ち、第１端子台としての一方の端子台２４は、中継端子としての機能を担うと共に、スピーカー入力端子の一部としての機能を担う、言わばスピーカー入力／中継端子であり、３つのＮ端子２４ａ，２４ａおよび２４ａを含む言わばＮ端子群と、３つのＲ端子２４ｂ，２４ｂおよび２４ｂを含むＲ端子群と、３つのＣＯＭ端子２４ｃ，２４ｃおよび２４ｃを含むＣＯＭ端子群と、を有している。そして、第２端子台としての他方の端子台２６は、外部アッテネーター７０との接続のみに特化したアッテネーター接続端子であり、当該外部アッテネーター７０の各端子７０ａ，７０ｂおよび７０ｃに対応するＮ端子２６ａ，Ｒ端子２６ｂおよびＳＰ端子２６ｃを有している。なお、このアッテネーター接続端子２６のＮ端子２６ａは、上述のプリント配線板２８上で、スピーカー入力／中継端子２４の各Ｎ端子２４ａ，２４ａおよび２４ａと接続されている。そして、アッテネーター接続端子２６のＲ端子２６ｂは、当該プリント配線板２８上で、スピーカー入力／中継端子２４の各Ｒ端子２４ｂ，２４ｂおよび２４ｂと接続されている。これに加えて、ＳＰ端子２６ｃがもう１つ設けられている。このアッテネーター接続端子２６のＳＰ端子２６ｃおよび２６ｃ、言わばＳＰ端子群は、スピーカーユニット１４の陽極入力端子に接続されている。そして、スピーカーユニット１４の陰極入力端子は、スピーカー入力／中継端子２４の各ＣＯＭ端子２４ｃ，２４ｃおよび２４ｃｂに接続されている。なお厳密には、スピーカーユニット１４の入力側にマッチングトランス１６が設けられているが、このマッチングトランス１６についても、ここでの図示を省略してある。さらに、スピーカー入力／中継端子２４のＮ端子２４ａ，２４ａおよび２４ａとアッテネーター接続端子２６のＳＰ端子２６ｃおよび２６ｃとの間には、これら両者間を互いに接続（ＯＮ）する状態と非接続（ＯＦＦ）とする状態とを選択的に切り換える切換手段としての例えばスライド式の手動スイッチ３６が設けられている。この手動スイッチ３６の操作は、上述した４つの操作ツマミ３２ａ，３２ｂ，３２ｃおよび３２ｄの１つ３２ａによって行われる。言い換えれば、この手動スイッチ３６に操作ツマミ３２ａが付属されている。
【００５７】
このようなスピーカー入力／中継端子２４とアッテネーター接続端子２６とを備える本実施形態の天井スピーカー１０が３線式のスピーカーラインに適用される場合、その幹線の配線５０のＮライン５０ａ，Ｒライン５０ｂおよびＣＯＭライン５０ｃが、それぞれスピーカー入力／中継端子２４のＮ端子２４ａ，Ｒ端子２４ｂおよびＣＯＭ端子２４ｃに接続される。これと同様に、幹線への送り配線５２のＮライン５２ａ，Ｒライン５２ｂおよびＣＯＭライン５２ｃもまた、それぞれスピーカー入力／中継端子２４のＮ端子２４ａ，Ｒ端子２４ｂおよびＣＯＭ端子２４ｃに接続される。そして、外部アッテネーター７０については、そのＮ端子７０ａ，Ｒ端子７０ｂおよびＳＰ端子７０ｃが、それぞれアッテネーター接続配線５４のＮライン５４ａ，Ｒライン５４ｂおよびＳＰライン５４ｃを介して、天井スピーカー１０のアッテネーター接続端子２６のＮ端子２６ａ，Ｒ端子２６ｂおよびＳＰ端子２６ｃに接続される。さらに、送り配線５２と同様に取り扱うことのできる（言い換えれば送り配線５２と同様の機能を奏することが可能である）第３の配線としての分岐配線５６を設けることも可能である。即ち、この分岐配線５６のＮライン５６ａ，Ｒライン５６ｂおよびＣＯＭライン５６ｃは、それぞれスピーカー入力／中継端子２４のＮ端子２４ａ，Ｒ端子２４ｂおよびＣＯＭ端子２４ｃに接続される。
【００５８】
このように本実施形態の天井スピーカー１０によれば、送り配線５２を含む幹線５０および５２については、スピーカー入力／中継端子２４への接続のみで済む。そして、アッテネーター接続配線５４については、これに特化したアッテネーター接続端子２６への接続のみで済む。しかも、このアッテネーター接続端子２６への接続は、外部アッテネーター７０への接続と全く同様である。従って、従来の天井スピーカー１に比べて、配線が極めて簡素であり、ゆえに、接続ミスの防止が図られる。さらに、分岐配線５６を設けることも可能であるので、この天井スピーカー１０が設置される環境（室内空間の大きさやレイアウト等）に応じて柔軟に対応することができる。なお、図２０に示す構成においては、手動スイッチ３６はＯＦＦ状態とされる。
【００５９】
さらに、渡り配線５８が設けられる構成について、考察する。まず、従来の場合は、図２１に示すように、渡し元の天井スピーカー１（ＳＰ１’）において、そのスピーカー入力端子７のＳＰ−ＨＯＴ端子７ａに、渡り配線５８のＳＰ−ＨＯＴライン５８ａが接続されると共に、当該スピーカー入力端子７のＳＰ−ＣＯＭ端子７ｂに、渡り配線５８のＳＰ−ＣＯＭライン５８ｃが接続される。なお、渡り配線５８としては一般に、幹線５０等と同じ仕様の３線式（３芯）のケーブルが敷設されるので、１本のライン（Ｒライン）５８ｂは余ることになる。従って、この余ったライン５８ｂについては、その末端を絶縁するための末端処理を行う必要がある。そして、渡し先の天井スピーカー１（ＳＰ２’）においては、そのスピーカー入力端子７のＳＰ−ＨＯＴ端子７ａに、渡り配線５８のＳＰ−ＨＯＴライン５８ａが接続されると共に、当該スピーカー入力端子７のＳＰ−ＣＯＭ端子７ｂに、渡り配線５８のＳＰ−ＣＯＭライン５８ｃが接続される。この渡し先においても、渡り配線５８の１本のライン５８ｂが余るので、この余ったライン５８ｂの端末処理を行う必要がある。
【００６０】
この図２１に示す構成によれば、渡し元の天井スピーカー１（ＳＰ１’）のスピーカーユニット２と、渡し先の天井スピーカー１（ＳＰ２’）のスピーカーユニット２とが、互いに並列に接続される。従って、これら渡し元の天井スピーカー１（ＳＰ１’）のスピーカーユニット２と、渡し先の天井スピーカー１（ＳＰ２’）のスピーカーユニット２と、の両方に対して、外部アッテネーター７０が共通して機能する。
【００６１】
ただし、この図２１に示す従来の構成では、渡し先の天井スピーカー１（ＳＰ２’）の中継端子６に対して何らの配線も接続されない。これは一見すると、特に現場においては、渡し先の天井スピーカー１（ＳＰ２’）への配線が不適切であるように思われ（言わば勘違いされ）、このことから、当該渡し先の天井スピーカー１（ＳＰ２’）の中継端子６に対して誤った配線が成され、つまり接続ミスが生じることがある。また、渡し元と渡し先とのそれぞれにおいて、上述の如く余ったライン５８ｃの末端処理を行う必要があり、その作業が極めて面倒である。
【００６２】
これに対して、本実施形態の天井スピーカー１０の場合は、図２２に示すように、渡し元の天井スピーカー１０（ＳＰ１）において、そのアッテネーター接続端子２６のＳＰ端子２６ｃに、渡り配線５８のＳＰ−ＨＯＴライン５８ａが接続される。そして、当該渡し元の天井スピーカー１０（ＳＰ１）において、そのスピーカー入力／中継端子２４のＲ端子２４ｂに、渡り配線５８のＲライン５８ｂが接続されると共に、当該スピーカー入力／中継端子２４のＣＯＭ端子２４ｃに、渡り配線５８のＳＰ−ＣＯＭライン５８ｃが接続される。一方、渡し先の天井スピーカー１０（ＳＰ２）においては、そのスピーカー入力／中継端子２４のＮ端子２４ａ，Ｒ端子２４ｂおよびＣＯＭ端子２４ｃに、それぞれ渡り配線５８のＳＰ−ＨＯＴライン５８ａ，Ｒライン５８ｂおよびＣＯＭライン５８ｃが接続される。なお、渡し元の天井スピーカー１０（ＳＰ１）の手動スイッチ３６は、ＯＦＦ状態とされる。そして、渡し先の天井スピーカー１０（ＳＰ２）の手動スイッチ３６は、ＯＮ状態とされる。
【００６３】
この図２２に示す構成によれば、図２１に示した構成と同様、渡し元の天井スピーカー１０（ＳＰ１）のスピーカーユニット１４と、渡し先の天井スピーカー１０（ＳＰ２）のスピーカーユニット１４とが、互いに並列に接続される。従って、これら渡し元の天井スピーカー１０（ＳＰ１）のスピーカーユニット１４と、渡し先の天井スピーカー１０（ＳＰ２）のスピーカーユニット１４と、の両方に対して、外部アッテネーター７０が共通して機能する。
【００６４】
また、この図２２に示す構成において、渡し先の天井スピーカー１０（ＳＰ２）に注目すると、そのスピーカー入力／中継端子２４のＮ端子２４ａに接続される渡り配線５８のＳＰ−ＨＯＴライン５８ａをＮラインであると見立てると、このスピーカー入力／中継端子２４に対する渡り配線５８の接続は、渡し元の天井スピーカー１０（ＳＰ１）のスピーカー入力／中継端子２４に対する幹線５０等の接続と、同様になる。言わば見かけ上は、渡し先のスピーカー１０（ＳＰ２）についても、渡し元のスピーカー１０（ＳＰ１）と同様の要領で配線すればよいことになる。これにより、接続ミスの防止が図られる。なお、渡り配線５８のＲライン５８ｂは、電気的には特段な作用を奏しない（意味はない）が、接続ミスの防止に貢献する点で大きな意味がある。
【００６５】
このように本実施形態の天井スピーカー１０によれば、その小型化が実現されることに加えて、配線時の接続ミスの防止が図られる。なお、スピーカー入力／中継端子２４を構成する３種類の端子２４ａ，２４ｂおよび２４ｃは、それぞれ３つに限らず（特にケース１８の大きさを含め空間的に許されるのであれば）、それ以外の数が用意されてもよい。
【００６６】
１０  天井スピーカー
１２  カバー
１４  スピーカーユニット
１６  マッチングトランス
１８  ケース
２０  ベース
２２  オートトランス
【図１】
0006516703.tif 000002
【図２】
0006516703.tif 000003
【図３】
0006516703.tif 000004
【図４】
0006516703.tif 000005
【図５】
0006516703.tif 000006
【図６】
0006516703.tif 000007
【図７】
0006516703.tif 000008
【図８】
0006516703.tif 000009
【図９】
0006516703.tif 000010
【図１０】
0006516703.tif 000011
【図１１】
0006516703.tif 000012
【図１２】
0006516703.tif 000013
【図１３】
0006516703.tif 000014
【図１４】
0006516703.tif 000015
【図１５】
0006516703.tif 000016
【図１６】
0006516703.tif 000017
【図１７】
0006516703.tif 000018
【図１８】
0006516703.tif 000019
【図１９】
0006516703.tif 000020
【図２０】
0006516703.tif 000021
【図２１】
0006516703.tif 000022
【図２２】
0006516703.tif 000023
【図２３】
0006516703.tif 000024
【図２４】
0006516703.tif 000025
【図２５】
0006516703.tif 000026